(57)【特許請求の範囲】
【請求項１】
２分割され環状に組み合わされる磁性体コアと、
該磁性体コアのそれぞれを包持すると共に、該磁性体コアが環状に組み合わされた状態を保持するための保持部材と、
を備え、前記磁性体コアを電線に外嵌することで該電線に流れる雑音電流を吸収する雑音電流吸収具において、
前記保持部材は、少なくとも各磁性体コアの互いに当接し合う分割面が露出するよう該磁性体コアの表面を覆う被覆部を有し、該磁性体コアとは一体に成形されていると共に、前記保持部材に、前記磁性体コアが包持する前記磁性体コアとの間に分解用の冶具を挿入するための溝を設けたことを特徴とする雑音電流吸収具。
【請求項２】
２分割され環状に組み合わされる磁性体コアと、
該磁性体コアのそれぞれを包持すると共に、該磁性体コアが環状に組み合わされた状態を保持するための保持部材と、
を備え、前記磁性体コアを電線に外嵌することで該電線に流れる雑音電流を吸収する雑音電流吸収具において、
前記保持部材は、少なくとも各磁性体コアの互いに当接し合う分割面が露出するよう該磁性体コアの表面を覆う被覆部を有し、該磁性体コアとは一体に成形されていると共に、前記保持部材に、該保持部材の分解を容易にするための切欠部を設けたことを特徴とする雑音電流吸収具。
【請求項３】
前記切欠部は、切取線を形成するように連続的に多数形成されていることを特徴とする請求項２記載の雑音電流吸収具。
【請求項４】
前記保持部材の外周面には、フック、及び該フックに係合して、前記磁性体コアが環状に組み合わされた状態を保持する係合片が一体に形成され、
該係合片を前記フックに係合させる時とは反対方向に引張ると、前記切欠部が形成する切取線に沿って前記保持部材が分解されることを特徴とする請求項３記載の雑音電流吸収具。
【請求項５】
前記保持部材は、エラストマーからなることを特徴とする請求項１ないし請求項４のいずれか記載の雑音電流吸収具。
【発明の詳細な説明】
【０００１】
【発明の属する技術分野】
本発明は、電線を介して電子機器から漏出、或いは電子機器に侵入しようとする雑音電流を吸収する雑音電流吸収具に関する。
【０００２】
【従来の技術】
従来より、電線の外周部をフェライト等の磁性体コアで包囲し、この磁性体によって電線を流れる雑音電流を吸収する雑音電流吸収具が知られている。
この種の雑音電流吸収具では、既存の配線を取り外すことなく、電線に磁性体コアを外嵌できるようにするため、例えば、実開昭６３−３９９９７号公報に開示されているように、軸を含む分割面で２分割してなる環状の磁性体コアと、磁性体コアの各分割片をそれぞれ収納するための一対のケース部、及び収納された分割片が元の環状に組み合わされるように一対のケース部を固定するための固定機構（互いに係合する突起とフック）を備えた保持ケースとからなる雑音電流吸収具が広く用いられている。
【０００３】
そして、このような保持ケースでは、通常、ケース部に収納した分割片が脱落することを防止するため、ケース部の開口縁部にて分割片の収納空間に向けて突出した突起等による、脱落防止用の機構が設けられている。
つまり、保持ケースは、脱落防止用の突起が、ケース部に収納された分割片からの押圧によって脱落防止用の突起が破損しない程度の硬さを有し、且つこのような突起があっても、分割片を収納できる程度に弾性変形が可能な合成樹脂により構成されている。
【０００４】
【発明が解決しようとする課題】
ところで、近年では、環境問題への意識の高まりから、不用になって回収される電気・電子機器などの製品を、可能な限り材質別に分別してリサイクルすることが望まれており、そのためには、雑音電流吸収具の場合、材質の異なる磁性体コアと保持ケースとを分離する必要がある。
【０００５】
しかし、上述の雑音電流吸収具では、脱落防止用の突起が妨げとなり、保持ケースから磁性体コアを簡単に取り外すことができず、また、比較的硬質な合成樹脂からなる保持ケースでは簡単には刃物で切り裂くことができない。このため、結局、ドライバ等を用いて無理やり取り外すことになり、時間と労力とを要してしまうという問題があった。
【０００６】
本発明は、上記問題点を解決するために、通常に使用する際には、分割された磁性体を十分な強度で密着させることができ、開環状に開いた時にも、保持部材と磁性体とが分離してしまうことがなく、しかもリサイクル処理をする際には簡単に両者を分離可能な雑音電流吸収具を提供することを目的とする。
【０００７】
【課題を解決するための手段】
上記目的を達成するためになされた本発明は、２分割され環状に組み合わされる磁性体コアと、該磁性体コアのそれぞれを包持すると共に、該磁性体コアが環状に組み合わされた状態を保持するための保持部材とを備え、前記磁性体コアを電線に外嵌することで該電線に流れる雑音電流を吸収する雑音電流吸収具において、前記保持部材は、少なくとも各磁性体コアの互いに当接し合う分割面が露出するよう該磁性体コアの表面を覆う被覆部を有し、該磁性体コアとは一体に成形されていることを特徴とする。
【０００８】
このように構成された本発明の雑音電流吸収具では、磁性体コアと一体に成形された保持部材は、分割片に密着した必要最小限の大きさとなるため、設置のために必要とするスペースを小さくできる。
しかも、保持部材は、磁性体コアの表面を被覆しているだけであり、磁性体コアとは化学的に接合（接着や融着等）されていないため、当該雑音電流吸収具が不要となった際に、磁性体コアをリサイクルするために行われる保持部材を磁性体コアから剥き取る作業を、効率良く行うことができる。
【０００９】
また、本発明の雑音電流吸収具では、電線に外嵌された使用状態では、電線に接触する磁性体コアの内径部も保持部材にて被覆されており、磁性体コアの露出する部分がないため、磁性体コアの端面によるケーブルの損傷を確実に防止できる。
【００１０】
そして、特に請求項１記載の雑音電流吸収具では、保持部材に、磁性体コアが包持する磁性体コアとの間に分解用の冶具（例えばマイナスドライバや保持部材を切り裂くための刃物など）を挿入するための溝が設けられており、また、請求項２記載の雑音電流吸収具では、保持部材に、該保持部材の分解を容易にするための切欠部が設けられている。
従って、いずれの場合も保持部材を磁性体コアから剥き取る作業の効率をより向上させることができる。
【００１１】
特に切欠部を設けた場合、請求項３記載のように、切欠部が切取線を形成するように連続的に多数形成すれば、この切取線に沿って保持部材を簡単に分解することが可能となる。
更に、保持部材の外周面には、フック、及び該フックに係合して、前記磁性体コアが環状に組み合わされた状態を保持する係合片が一体に形成されている場合、請求項４記載のように、係合片を前記フックに係合させる時とは反対方向に引張ると、切欠部が形成する切取線に沿って前記保持部材が分解されるように形成してもよい。
また、請求項５記載のように、前記保持部材がエラストマーからなる場合、保持部材に切り込みを入れると、切り込みが拡大する方向に作用するため、保持部材を磁性体コアから剥き取る作業の効率を、更に向上させることができる。
【００１２】
【発明の実施の形態】
以下に本発明の実施形態を図面と共に説明する。
［第１実施形態］
図１（ａ）は、第１実施形態の雑音電流吸収具の全体構成を表す斜視図、図１（ｂ）は、その使用状態を表す斜視図である。
【００１３】
図１に示すように、本実施形態の雑音電流吸収具２は、円筒状に形成されたフェライト製の磁性体コア４を、軸方向に沿って２分割した形状を有する一対の分割片４ａ，４ｂと、一対の分割片４ａ，４ｂを一体に保持すると共に、分割片４ａ，４ｂを元の環状に組み合わせた状態に保持可能な保持部材６とからなる。
【００１４】
そして、保持部材６は、分割片４ａ，４ｂの表面を、その分割面を除いて被覆する一対の被覆部６ａ，６ｂを有している。そして、分割片４ａ，４ｂを環状に組み合わせた時に、分割面同士が当接する一対の接合部Ｘ，Ｙのうち、一方の接合部Ｘ近傍には、両被覆部６ａ，６ｂの外周面上に、両被覆部６ａ，６ｂを開閉自在に連結するヒンジ部６ｃが形成されていると共に、他方の接合部Ｙ近傍には、被覆部６ｂの外周面上に断面Ｌ字状のフック６ｄ、及び被覆部６ａの外周面上には、フック６ｄと係合する係合孔Ｈを備えた係合片としてのバンド部６ｅが形成されている。
【００１５】
そして、これら被覆部６ａ，６ｂ、ヒンジ部６ｃ、フック６ｄ、バンド部６ｅは、エラストマーにより、分割片４ａ，４ｂと共に一体に成形されている。
なお、エラストマーとしては、スチレン系，塩化ビニル系，オレフィン系，ポリエステル系，ポリアミド系，ウレタン系のもの等を用いることができる。
【００１６】
このように構成された本実施形態の雑音電流吸収具２は、突起部６ｄとバンド部６ｅの係合孔Ｈとの係合を解除した開環状（図１（ａ）参照）にして、分割片４ｂの凹部Ｚに、当該雑音電流吸収具２を取り付けるべき電線Ｌを配置後、分割片４ａ，４ｂが環状となるよう閉じ合わせて、バンド部６ｅの係合孔Ｈを突起部６ｄに係合させること（図１（ｂ）参照）により電線Ｌに外嵌され、この電線Ｌを流れる雑音電流を吸収する。なお、バンド部６ｅは、フック６ｄと係合した時に引き延ばされた状態となるよう、その長さが設定されており、バンド部６ｅの元の形状に戻ろうとする弾性力によって、保持部材６に保持された分割片４ａ，４ｂを分割面が密着する方向に付勢し、磁気抵抗の小さい閉磁路を形成する。
【００１７】
以上説明したように、本実施形態の雑音電流吸収具２では、分割片４ａ，４ｂの分割面以外の部分が、エラストマーからなる保持部材６により覆われている。
つまり、当該雑音電流吸収具２を環状に組み立てた時には、電線Ｌが貫通する孔の内周面も、全て保持部材６にて覆われることになり、磁性体コア４が露出する部分が全くないため、鋭利な磁性体コア４のエッジによって、電線Ｌを傷つけてしまうことを確実に防止できる。
【００１８】
また、本実施形態の雑音電流吸収具２では、保持部材６を分割片４ａ，４ｂと一体に成形されているため、脱落防止用の機構を設ける必要がなく、保持部材６は分割片４ａ，４ｂに密着した必要最小限の大きさとなり、設置のためのスペースを小さくすることができる。
【００１９】
更に、本実施形態の雑音電流吸収具２では、保持部材６がエラストマーからなるため、当該雑音電流吸収具２をリサイクルする際には、保持部材６の被覆部６ａ，６ｂに刃物によって切れ目を入れるだけで、分割片４ａ，４ｂから保持部材６を簡単に剥き取ることができる。
【００２０】
なお、本実施形態では、被覆部６ａの外周面上に形成されたバンド部６ｅは、接合部Ｙ近傍に設けられているが、図２に示すように、接合部Ｘ近傍に設け、丈の長いバンド部６ｅを用いるように構成してもよい。
この場合、図示されているように、バンド部６ｅを利用して、電線Ｌの固定や結束を、他の部品を用いることなく行うことができる。
【００２１】
また、保持部材６には、図３（ａ）に示すように、両被覆部６ａ，６ｂを、電線の配線方向に沿ってそれぞれ半割する位置に、切取線を形成する多数の穴８を形成してもよい。この場合、より簡単に、保持部材６を分解することが可能となり、保持部材６から分割片をより効率よく剥き取ることができる。但し、バンド部６ｅをフック６ｄに係合させる時に、分解しない程度の強度に形成する必要がある。
【００２２】
また、保持部材６には、図３（ｂ）に示すように、分割片４ａ，４ｂとの間に、例えばマイナスドライバや刃物の先端等、保持部材６を分解する際に使用する冶具を挿入可能な溝１０を設けてもよい。
［第２実施形態］
次に、第２実施形態について説明する。
【００２３】
図４（ａ）は、第２実施形態の雑音電流吸収具１２の全体構成を表す斜視図、図４（ｂ）は、その使用状態を表す斜視図である。
図４に示すように、本実施形態の雑音電流吸収具１２は、円筒状に形成されたフェライト製の磁性体コア４を、軸方向に沿って２分割した形状を有する一対の分割片４ａ，４ｂと、一対の分割片４ａ，４ｂを一体に保持すると共に、分割片４ａ，４ｂを元の環状に組み合わせた状態に保持可能な保持部材１６とからなる。
【００２４】
このうち、磁性体コア４は、第１実施形態のものと全く同様に形成されたものであり、また、保持部材１６も、被覆部１６ａ，１６ｂの形状が一部異なるだけで、他の部分（ヒンジ部１６ｃ，フック１６ｄ，バンド部１６ｅ）は、第１実施形態と全く同様に構成されている。
【００２５】
即ち、被覆部１６ａ，１６ｂには、包持する磁性体コア４の内周面及び外周面が、全周（外周面側ではヒンジ部１６ｃ，フック１６ｄ，バンド部１６ｅの部分を除く）に渡って、その中心部分の約１／３が露出するように、切欠部１８，１９が形成されている。
【００２６】
このように構成された本実施形態の雑音電流吸収具１２によれば、第１実施形態と同様の作用，効果が得られるだけでなく、保持部材１６を分解する際には、ヒンジ部１６ｃ，フック１６ｄ，バンド部１６ｅの部分を切断するだけで、簡単に磁性体コア４を取り出すことができる。
【００２７】
以上、本発明の実施形態について説明したが、本発明は上記実施形態に限定されるものではなく、様々な態様にて実施することが可能である。
例えば、図５（ａ）に示すように、保持部材２６を構成する被覆部２６ａ，２６ｂの外周面の両縁部に沿って、連続的に多数の切欠部２８を形成し、バンド部１６ｅを、フック１６ｄに係合させる時とは反対方向に引張ると、切欠部２８を切取線として保持部材２６が分解されるように構成してもよい。
【００２８】
また、図５（ｂ）に示すように、保持部材３６を構成する被覆部３６ａ，３６ｂには、該保持部材３６が包持する磁性体コア４の外周面との間に溝３７を形成すると共に、この溝３７に外部から、保持部材３６を分解するための冶具を挿入可能なように、電線の配線方向両端に位置する被覆部３６ａ，３６ｂの両側壁部分に切欠部３８を形成してもよい。
【００２９】
更に、保持部材の分解を容易にするために設ける切欠部は、電線に外嵌される通常の使用時に必要な強度さえ得られれば、どのような形状をしてていも、いくつ設けてもよく、例えば図５（ｃ）に示すように円形状や、図５（ｄ）に示すように長方形状に形成することができる。なお、図５（ｂ）〜（ｃ）では、バンド部の図示を省略している。
【図面の簡単な説明】
【図１】  第１実施形態の雑音電流吸収具の全体構成、及び使用状態を表す斜視図である。
【図２】  第１実施形態の変形例の構成、及び使用状態を表す斜視図である。
【図３】  第１実施形態の変形例の構成を表す斜視図である。
【図４】  第２実施形態の雑音電流吸収具の全体構成、及び使用状態を表す斜視図である。
【図５】  切欠部の他の形成例を表す説明図である。
【符号の説明】
２，１２…雑音電流吸収具    ４…磁性体コア    ４ａ，４ｂ…分割片
６，１６，２６，３６…保持部材    １０，３７…溝
６ａ，６ｂ，１６ａ，１６ｂ，２６ａ，２６ｂ，３６ａ，３６ｂ…被覆部
６ｃ，１６ｃ…ヒンジ部    ６ｄ，１６ｄ…突起部
６ｅ，１６ｅ，２６ｅ…バンド部    １８，１９，２８，３８…切欠部
Ｈ…係合孔    Ｌ…電線    Ｘ，Ｙ…接合部    Ｚ…凹部
【図１】
0004374134.tif 000002
【図２】
0004374134.tif 000003
【図３】
0004374134.tif 000004
【図４】
0004374134.tif 000005
【図５】
0004374134.tif 000006